(57)【特許請求の範囲】
【請求項１】
表面に多数の孔を有し、かつ側面が底面に向かって狭くなるテーパを有する容器を上下左右にその開口部を上方に向け重ね合わせた容器山を形成し、容器に高含水堆積物を充填し、高含水堆積物に含まれる水分が容器表面に設けた孔から滲出して容器中の高含水堆積物の体積が減少した後、再び高含水堆積物を充填する工程を複数回繰り返した後、容器山を芯として土盛りすることを特徴とする土盛り方法。
【発明の詳細な説明】
【０００１】
【発明の属する技術分野】
ヘドロ等のように水分を多量に含んだ高含水堆積物の脱水と、脱水されて残留する堆積物土砂成分を有効利用する土盛り方法である。
【０００２】
【従来の技術】
例えば河川や湖沼の表底層に堆積しているヘドロ等の高含水堆積物は、浚渫工事などにおいて掘削した場合、廃棄処分が困難であるとともに、放置しておくと近隣の環境に影響を与える場合もあるため、従来より、かかる高含水堆積物を処理する方法が種々提案されている。
【０００３】
その方法は、ヘドロ等の高含水堆積物を透水性を有する袋体に入れ、これを積み上げて脱水処理を行うものである。
他の方法は、ヘドロ等の高含水堆積物を各種プレス機あるいは遠心分離機を用いて、機械的に脱水する方法である。
石灰やセメント等の固化剤を用いて、泥状物を直接固化して廃棄する方法がある。
【０００４】
【発明が解決しようとする課題】
しかしながら、上記袋体を用いる脱水処理方法は、透水性を有する袋体に高含水堆積物を投入あるいは充填する際、各袋体は、内部の高含水堆積物の流動によって移動しやすい状態となるため、その位置が定まりにくいばかりか、特に、高含水堆積物を投入充填して敷き並べた袋体の上に、さらに高含水堆積物を充填した袋体を積み重ねて敷き並べる場合には、積み重ねられる袋体の内部から滲出した高含水比堆積物からの分離水が、表面活性剤的な働きをして袋体表面の摩擦抵抗を低減させることにより、袋体が滑って移動したり、内部の土砂の重みで下段の袋体の間に落ち込んだり、端部に位置する下段の袋体が側方に押し出されることなどによって、袋体を予定する位置に多段に積み上げることが困難になるとともに、かかる多段積みの施工を可能にするためには、仮設の土留構造物や押さえ盛土などの施設を別途設ける必要を生じて余分な費用がかかる問題があった。
【０００５】
また機械を用いて脱水する方法あるいは化学的に固化させる方法は多大な費用がかかるという問題がある。
【０００６】
本発明はヘドロ等の高含水堆積物を簡便な方法で脱水するとともに脱水されたヘドロ等を起源とする土砂を芯として堤等とし、その上部を駐車場や、歩道などに使用可能な土盛り方法を提供するものである。
【０００７】
【課題を解決するための手段】
この本発明は上記課題を解決するためになされたもので、その要旨は、表面に多数の孔を有し、かつ側面が底面に向かって狭くなるテーパを有する容器を上下左右にその開口部を上方に向け重ね合わせた容器山を形成し、容器にヘドロ等の高含水堆積物を充填し、高含水堆積物に含まれる水分が容器表面に設けた孔から滲出して容器中の高含水堆積物の体積が減少した後、再び高含水堆積物を充填する工程を複数回繰り返した後、容器山を芯として土盛りすることを特徴とする土盛り方法である。
【０００８】
【発明の実施の形態】
本発明につき図を用いて詳細に説明する。容器は、図1、図2に示すような、表面に多数の孔があり、側面が上の開放面から底面に向けて狭くなるように構成された容器を使用する。容器は、容器の口、即ち開放面が底面と相似で、側面に設けたテーパによって、底面が狭くなっているものなら、その形状は問わない。
このような形状の容器を上下左右に積み重ねると、その容器に設けられたテーパにより容器同士の間に適当な隙間が開き、その隙間を通して、横からパイプあるいはホースを装入して各容器にヘドロを充填できる。
【０００９】
容器の組み合わせ方は、容器山にヘドロが充填できるものであるならばその方法は問わない。その積み上げ方の例として、下側の相接する容器の上縁部を台として積み上げる方法と、適当な連結具を用いて垂直に組み合わせる方法がある。
【００１０】
前者は、例えば図3に示すように組み合わせて積み重ね、後者は、例えば図5、図7、図9に示すように組み合わせて積み重ねる。
図3、図4は、矩形の容器が積み重ねられた例のそれぞれの正面図、平面図であるが、このように積み上げることによって、容器山には容器の側面のテーパに起因する略三角形の隙間が形成される。この隙間にパイプあるいはホースを通してヘドロを各容器に充填することができる。必要に応じて容器同士を上下及び左右方向に固定することができる。例えば、正方形の板に4ヶ所互いに直角に上下方向に突起を設けた継ぎ手を用意し、容器上縁端部に前記突起が挿入できる穴を設けるとともに、容器底部に前記突起が挿入できる穴を設けておけばよい。
【００１１】
図5、図7、図9は連結具を用いて積み重ねた容器山の断面図であり、図6、図8はその平面図である。これらは図に示すように容器をその中心軸上に積み重ねる方法であり、そのためには適当な連結具を用いて容器同士が上下に隙間をあけて重なるようにする。図5、図7に示す連結具は容器同士が互に密着せず、ヘドロが下方に流れるように適宜貫通孔が設けられていればよい。後述する図9のような突起及び突起間にかませる場合にも、連結具にも多数の孔・スリットを設けてヘドロが落下するようにしておくことも可能である。
【００１２】
連結具は容器の側面(図5、図6)あるいは上縁部(図7、図8)に使用する例を図示したが、容器底部から支えるようにすることも可能である。即ち、容器同士が密着せず壁面に隙間が開いた状態で固定されるものであればその形状は問わない。
【００１３】
図9は、容器底部に突起を有する容器の積み重ね方の例である。この場合に使用する連結具は、その上部が容器突起内に挿入し、下部に容器突起の先端が挿入可能な孔があいているものが使用できる。このような容器であっても図5、図7に示すような積み重ね方は可能である。
【００１４】
上下方向に重ねられた容器を更に左右横方向に並べ容器山を形成する。横方向に並べられた容器は相互に相接する部分で適当な接続具を用いて固定することができる。
【００１５】
容器山の容器にヘドロを充填し、ヘドロに含まれる水分が容器表面に設けた孔から浸出して容器中のヘドロの体積が減少した後再びヘドロを充填する工程を複数回繰り返し容器にヘドロを起因とする土砂が充填される。
上記容器は籠であっても、多数の孔のあいた板やパイプを組み合わせて結果として同一形状の容器となり、あるいは容器を多数連結するものとなってもよい。またその形状も開放面が多角形であっても円であってもよいが、相互に固定する便を考えると4角形が好ましい。
【００１６】
容器は底面が平らな容器に限られない。図2に示すように底面から突起が出ているような容器でもよい。即ち上下に重ね合わせることができる容器ならその形状は問わない。
【００１７】
容器に設ける孔の大きさはフィルターとなるよう細かい孔を設けることが好ましいが、容器の強度を保てる程度に大きな孔を開けてもよい。この場合はヘドロのフィルターとなるような布などを容器の中に敷けば良い。
【００１８】
容器はその材質を問わない。しかし、容器山で土盛りの強度を保つ場合は、地中に埋設されることとなるのでセメントあるいはプラスチック製が好ましい。取り扱いの便から水分の影響を受けないポリプロピレンあるいはポリエチレンなどのポリオレフィンあるいはポリスチレンなどのプラスチック製がよい。
【００１９】
容器山に充填された土砂は容器山ごとそのまま盛土によって被覆される。充填された土砂そのものには強度的に期待できるものではないが、容器そのものの強度があるため、その上部はそのまま歩道、遊歩道、駐車場など負荷のあまりかからない用途に使用可能である。
【発明の効果】
容器を組み合わせ、その容器中にヘドロを充填するため、容器山としてその形状を保つことができる。必要に応じてそれぞれを連結具で固定することができるため、強度がある。そのため土盛りはそのまま上部が駐車場、歩道、遊歩道など負荷が余りかからない用途に使用できる。
【図面の簡単な説明】
【図1】本発明の容器の一概念図である。
【図２】本発明の容器の他の概念図である。
【図３】本発明の容器の積み重ねを示す例1の断面図である。
【図４】図3の積み重ねを上から見た図である。
【図５】本発明の容器の積み重ねを示す例2の断面図である。
【図６】図5の積み重ねを上から見た図である。
【図７】本発明の容器の積み重ねを示す例3の断面図である。
【図８】図7の積み重ねを上から見た図である。
【図９】本発明の容器の積み重ねを示す例4の断面図である。
【符号の簡単な説明】
２１  容器山
１１  容器
１２  連結具
【図１】
0004435393.tif 000002
【図２】
0004435393.tif 000003
【図３】
0004435393.tif 000004
【図４】
0004435393.tif 000005
【図５】
0004435393.tif 000006
【図６】
0004435393.tif 000007
【図７】
0004435393.tif 000008
【図８】
0004435393.tif 000009
【図９】
0004435393.tif 000010